(57)【要約】【課題】コストが安く、携帯性に優れ、かつ、メンテナンスの手間もかからない立体表示装置を提供すること。【解決手段】複数の各透明板１０に絵柄部２０がそれぞれ設けられているとともに、これらの透明板１０を重ね合わせるので、絵柄部２０が遠近感により立体的に表現され、さらに、複数の透明板１０を密着させるため、隣り合う透明板１０同士の間に隙間がなく、サイズが小さくなる。これにより、携帯性が良好となり搬送もしやすくなる。その上、手入れの際はこの立体表示装置１００の正面側と背面側に配置される透明板１０の表面の手入れをするだけでよく、メンテナンス性が向上する。【選択図】  図２
2005010346.tif 000002
【特許請求の範囲】
【請求項１】
複数の透明面状部材の少なくとも二枚以上に絵柄部を設け、これらの透明面状部材を密着させたことを特徴とする立体表示装置。
【請求項２】
請求項１記載の立体表示装置において、
前記絵柄部は、正面側から視認可能な第一絵柄部と、この第一絵柄部の背面に設けられ、背面側から視認可能な第二絵柄部とで形成されることを特徴とする立体表示装置。
【請求項３】
請求項１または請求項２に記載の立体表示装置において、
前記絵柄部の一部は、写真を隣り合う透明面状部材の間に挟むことによって形成されることを特徴とする立体表示装置。
【請求項４】
請求項１から請求項３のいずれかに記載の立体表示装置において、
前記複数の透明面状部材のうち少なくとも二枚は異なる厚み寸法で形成されていることを特徴とする立体表示装置。
【請求項５】
請求項１から請求項４のいずれかに記載の立体表示装置において、
前記絵柄部の一部は、前記透明面状部材の内部に設けられる立体物であることを特徴とする立体表示装置。
【発明の詳細な説明】
【０００１】
【発明の属する技術分野】
本発明は、広告、装飾物等を立体的に表現する立体表示装置に関する。
【０００２】
【背景技術】
従来より、絵画や写真等の画像を立体的に配置し、その遠近感を用いて仮想的に立体を表現する立体表示装置がある。例えば、複数の透過性の薄幕ＥＬ表示器を重ね合せにより立体画像を表示させる装置がある（例えば特許文献１）。これは薄膜ＥＬ表示器を所定間隔開けて平行に配置したものであり、表側正面からみるとこれらの薄膜ＥＬ表示器は重なって見えるようになっている。それぞれの薄膜ＥＬ表示器に画像を表示させると、これらの薄膜ＥＬ表示器間に所定の間隔があいているため、遠近感が生じ、観察者は立体画像を見ているかのように感じる立体表示装置である。
【０００３】
また、複数枚のガラス板の表面にそれぞれ絵柄部を形成し、これらのガラス板を互いに所定間隔を隔てて平行に重ねて配置したものをボックスの中に収納した立体表示装置（通称：パノラマボックス）がある。このボックスの正面には、観察者がこれらのガラス板に描かれた絵柄部を視認できるように、表示孔が設けられている。この表示孔からこれらのガラス板を見ると、それぞれのガラス板間に間隔が設けられているため、遠近感によって立体的画像を見ているかのように感じることができる。
【０００４】
【特許文献１】
特開平７−２６１６７７
【０００５】
【発明が解決しようとする課題】
しかしながら、特許文献１の立体表示装置では、薄膜ＥＬ表示器を用いているため、これらを制御するコントロール部や、これらの装置に電力を供給するための電源入力部等が必要となり、それに伴って装置が大掛かりでコストも高くなる。また、パノラマボックスでは、ガラス板等の透明面状部材を所定間隔だけ隔ててボックス内に配置されるため、この間隔分だけ装置全体のサイズが大きくなってしまう。そのため携帯性が悪くなり、搬送する時に手間がかかってしまう。また、これらの透明面状部材は間隔を開けて配置されているのでメンテナンスの際には、これらのガラス板一枚一枚をメンテナンスする必要があり大変煩雑となる。
【０００６】
本発明は以上のような課題を解決し、コストが安く、携帯性に優れ、かつ、メンテナンスの手間もかからない立体表示装置を提供しようとするものである。
【０００７】
【課題を解決するための手段】
本発明は、複数の透明面状部材の少なくとも二枚以上に絵柄部を設け、これらの透明面状部材を密着させたことを特徴とする。
この発明によると、前記透明面状部材の少なくとも二枚以上に前記絵柄部が設けられているので、これらの透明面状部材を平行に重ね合わせると、前記絵柄部を遠近感により立体的に表現することが可能となる。さらに、前記複数の透明面状部材を密着させるため、これらの透明面状部材間に隙間がなく、サイズが小さくなる。従って、携帯性が良好となり搬送もしやすくなる。その上、手入れの際には、この立体表示装置の表と裏に配置される透明面状部材の表面の手入れをするだけでよく、メンテナンス性が向上する。
【０００８】
また本発明では、前記絵柄部は、正面側から視認可能な第一絵柄部と、この第一絵柄部の背面に設けられ、背面側から視認可能な第二絵柄部とで形成されることが好ましい。
この発明によると、前記絵柄部は表裏に第一絵柄部と第二絵柄部とが設けられているので、この立体表示装置のどちらから見ても絵柄部を見ることができる。そのため、見る姿勢が一方の側に限定さない。また、表から見た絵柄と裏から見た絵柄を変えることで、表裏で全く違う絵にすることや、表裏から一つの立体画像を形成すること等、様々な立体画像を表現することができる。
【０００９】
また本発明では、前記絵柄部の一部は、写真を隣り合う透明面状部材の間に挟むことによって形成されることが好ましい。
この発明によると、前記透明面状部材間に写真を挟むことができるので、各ユーザーの好みに合わせて立体画像を形成することができる。これによって、挟む写真の選択により非常に多くのパターンが考えられ、アレンジ性に富んだ立体表示装置が作成される。
【００１０】
本発明では、前記複数の透明面状部材のうち少なくとも二枚は異なる厚み寸法であることが好ましい。
この発明によると、前記複数の透明面状部材のうち一部の厚み寸法を変更することで、その前面あるいは背面に位置する透明面状部材の絵柄部との距離が変更でき、これによってより一層遠近感を出すことができて、よりリアルな立体画像を表現することができる。
【００１１】
本発明では、前記絵柄部の一部は、前記透明面状部材の内部に設けられる立体物であることが考えられる。
この発明によると、複数の前記透明面状部材のうち少なくとも一つ以上の透明面状部材の内部に立体物を入れるので、より一層立体感を増幅させることができる。また、立体物を透明面状部材で覆うことになるので、例えばこの立体物が非常に壊れやすいものであった場合等では、この立体物を保護することができ、搬送の際にも安全である。
【００１２】
【発明の実施の形態】
以下、本発明の実施の形態を図示例と共に説明する。
［第一実施形態］
図１から図４を用いて第一実施形態について説明する。図１は第一実施形態における立体表示装置１００の斜視図、図２はこの立体表示装置１００の分解斜視図、図３は立体表示装置１００の断面図を示している。
立体表示装置１００は５枚の矩形平板状の透明板１０を平行に重ね合わせて構成されている。この透明板１０は、透明性のガラス板、アクリル、その他のプラスチック等の透明板で形成されている。各透明板１０の裏側表面には立体表示装置１００の正面側から視認可能に絵柄部２０が形成されている。ここで、図３においては、隣り合う透明板１０間で絵柄部２０の厚み分だけ隙間が生じているが、これは内容を分かりやすくするために誇張して表示したものであって、実際には絵柄部２０の厚い寸法は非常に微小なものであり、隣り合う透明板１０同士は密着されている。また、第一実施形態では透明板１０を５枚用いるとしているが、これに限定されるものではなく、少なくとも２枚以上の透明板１０で構成されるものであればよい。
【００１３】
絵柄部２０は、図２に示すように、それぞれ異なった絵柄を形成している。これらの異なった絵柄部２０を有する透明板１０を複数重ね合わせているため、絵柄部２０は透明板１０の厚み寸法分だけ前後に離れて配置され、これによって生じる遠近感によって立体的画像が表現される。
【００１４】
図４は図３の絵柄部２０をさらに詳細に表した断面図である。図４において、絵柄部２０は透明板１０の表面に直接設けられる第一絵柄部２１と、第一絵柄部２１の背面に設けられる白地２２（通称：押さえ）とから形成されている。白地２２は第一絵柄部２１に隠れているために、立体表示装置１００の正面側からは視認できず、第一絵柄部２１は白地２２が背面に形成されているので、背面側から視認できないようになっている。
【００１５】
これらの第一絵柄部２１はシルク印刷により直接透明板１０に形成され、白地２２は、第一絵柄部２１の背面側表面に直接白色のシルク印刷を施すことで形成されている。シルク印刷にすることで、長期太陽光に当たる環境においても第一絵柄部２１が褪色しにくく、綺麗な色合いを長期間良好に保つことができる。また、絵柄部２０と、この絵柄部２０の前後に設けられている透明板１０に形成されている他の絵柄部２０とが重なった場合でも、白地２２を形成することで色がにじまないようにしている。
【００１６】
本実施形態の立体表示装置１００は、透明板１０がばらけたままでは携帯性に問題があるため、透明板１０同士を密着固定していることが好ましい。この時、透明板１０同士を接着剤等によって密着固定してもよく、フレーム等のケースに嵌め込んで密着固定させてもよい。フレーム等のケースにはめ込んで密着固定させた場合は、ケースから取り外して透明板１０の順番を入れ替えたり、あるいは、別の絵柄部２０を有する透明板１０を追加したり、別の絵柄部２０を有する透明板１０と一部の透明板１０を入れ替えたりすることができる。このように、ユーザーの趣向によってこの立体表示装置１００を様々にアレンジすることが可能である。
【００１７】
第一実施形態によれば、次のような効果を得ることができる。
（１）複数の各透明板１０に絵柄部２０がそれぞれ設けられているとともに、これらの透明板１０を重ね合わせるので、絵柄部２０が遠近感により立体的に表現され、さらに、複数の透明板１０を密着させるため、隣り合う透明板１０同士の間に隙間がなく、サイズが小さくなる。従って、携帯性が良好となり搬送もしやすくなる。その上、手入れの際はこの立体表示装置１００の正面側と背面側に配置される透明板１０の表面の手入れをするだけでよく、メンテナンス性が向上する。
（２）絵柄部２０は、透明板１０の表面に形成される第一絵柄部２１と、この第一絵柄部２１の背面に形成される白地２２とを有するので、白地２１により第一絵柄部２１が他の第一絵柄部２１と重なり合っても色が混じることがなく、綺麗な色合いの立体画像を表現できる。
（３）絵柄部２０はシルク印刷により形成されているので、絵柄部２０を十分薄くでき、透明板１０を隙間無く密着させて全体の厚みを薄く抑えることができ、また光による褪色も防止できる。
（４）ケースに透明板１０を嵌めこんで密着固定させることによって、透明板１０の順番を組み替えたり、一部を変更したりすることができるので、ユーザーの趣向によってアレンジ性に富んだ立体画像が作成できる。
【００１８】
［第二実施形態］
次に第二実施形態について図５から図８を用いて説明する。
第一実施形態では、立体表示装置１００の正面からのみ立体画像の視認ができたが、第二実施形態では、裏表から立体画像の表示を可能としたものである。
【００１９】
図５は第二実施形態の立体画像装置１００Ａの分解斜視図を示している。図６はこの立体画像装置１００Ａを図５とは反対側の背面からみた時の分解斜視図を示している。図７（Ａ）は図５、図６のＡ側よりこの立体表示装置１００Ａを見た正面図、図７（Ｂ）は図５、図６のＢ側よりこの立体表示装置１００Ａを見た正面図を示している。
【００２０】
図５、図６において、立体表示装置１００Ａは、透明板１０の表面に裏表から視認できる絵柄部２０Ａが形成されている。これらの透明板１０を平行に重ね合わせて密着させることで、立体表示装置１００Ａは裏表から立体表現可能としている。
【００２１】
図８は、この立体表示装置１００Ａの断面図を示している。図８において、絵柄部２０Ａは、透明板１０の表面に直接形成されている第一絵柄部２１Ａと、この第一絵柄部２１Ａの裏側に白地２２を介して形成される第二絵柄部２１Ｂとから成っている。このような絵柄部２０Ａは、まず透明板１０の表面に第一絵柄部２１Ａをシルク印刷により形成し、その後、白地２２を上から形成し、さらに白地２２の上から第二絵柄部２１Ｂを形成することで、上塗りを重ねて形成されている。
この立体表示装置１００Ａでは、第一絵柄部２１Ａは立体表示装置１００Ａを表Ａ側から見たときに視認され、第二絵柄部２１Ｂは立体表示装置１００Ｂを裏Ｂ側から見たときに視認されるようになっている。白地２２は第一絵柄部２１Ａと第二絵柄部２１Ｂとの色が交じり合わないように設けられていて、これにより裏表どちらから絵柄部２０Ａを見ても、色合いがはっきりした綺麗な絵柄を見ることができる。
【００２２】
また、この第二実施形態では、立体表示装置１００Ａの略中心にあたる透明板１０Ａを中心として、透明板１０Ａより正面Ａ側に配置される透明板１０は、遠近感を用いてこの透明板１０Ａの絵柄部２０Ａが立体的に表現されるように配置されている。同様に、透明板１０Ａより背面Ｂ側に配置される透明板１０も、遠近感を用いてこの透明板１０Ａの絵柄部２０Ａが立体的に表現されるように配置されている。具体的な例を用いて説明すると、図５から図７に示される絵柄において、略中心となる透明板１０Ａの第一絵柄部２１Ａに人が正面を向いている絵柄を形成し、透明板１０Ａの第二絵柄部２１Ｂには第一絵柄部２１Ａに描かれた人の後姿の絵柄を形成している。そして、その中心となる透明板１０Ａの前後に木々の絵柄を遠近感により表現した透明板１０が、複数枚配置されている。このような立体表示装置１００Ａでは、正面Ａ側と背面Ｂ側から見た時、正面Ａ側からは正面を向いた人を立体表示することができ、背面Ｂ側からは後姿の人を立体表示することができる。
【００２３】
第二実施形態によれば、第一実施形態の（１）から（４）に効果に加え、次の効果が得られる。
（５）絵柄部２０Ａは第一絵柄部２１Ａと第二絵柄部２１Ｂとを有しているので、これらの第一絵柄部２１Ａと第二絵柄部２１Ｂが表裏に設けられていて、立体表示装置１００Ｂの正面側、背面側のどちらからでも立体画像を見ることができる。
（６）中心となる透明板１０Ａに形成される絵柄部２０Ａを中心として、その前後に別の絵柄部２０Ａが中心となる絵柄部２０Ａを遠近感により立体的に表現するように配置されているので、正面側と背面側とのどちらから見ても透明板１０Ａに設けられた絵柄部２０Ａを中心に立体画像を表示でき、より一層の立体感が得られる。
【００２４】
［第三実施形態］
次に第三実施形態について図９に基づいて説明する。
図９は第三実施形態の立体表示装置１００Ｂの斜視図、図１０は立体表示装置１００Ｂの分解斜視図である。図９、図１０において、立体表示装置１００Ｂは、厚み寸法が大きい厚めの透明板１０１Ｂと、厚み寸法の小さい薄めの透明板１０２Ｂとを複数平行に重ね合わせることによって形成されている。
【００２５】
この厚めの透明板１０１Ｂを介して、２つの絵柄部２０が配置されると、厚めの透明板１０１Ｂの寸法分だけこれらの絵柄部２０の前後の距離が開くため、遠近感により大きな距離があるように表現することができる。逆に、薄めの透明板１０２Ｂを介して２つの絵柄部２０が配置されると、これらの絵柄部２０の間の距離が縮まるため、遠近感によりあまり距離がないと感じさせることもできる。
また、第三実施形態では厚めの透明板１０１Ｂを一枚用い、他は薄めの透明板１０２Ｂとしたが、透明板１０Ｂの配置位置や個数、厚みは限定されるものではない。例えば、全ての透明板１０Ｂの厚み寸法をそれぞれ個別に変更してもよく、この場合それぞれに設けられる絵柄部間の遠近距離が個別に設定できるため、より立体的に表示できる。
【００２６】
第三実施形態によると第一実施形態の（１）〜（４）の効果に加えて次の効果が得られる。
（７）複数の透明板１０Ｂのうち一部は厚み寸法が厚めの透明板１０１Ｂであるので、その前面に位置する透明板１０Ｂの絵柄部２０との距離がこの透明板１０１Ｂの厚み寸法分になり、遠近感が増すことにより一層立体的な表現ができる。
【００２７】
［第四実施形態］
次に図１１に基づいて第四実施形態について説明する。
図１１は第四実施形態の立体表示装置１００Ｃの斜視図を示している。
図１１において、第四実施形態の立体表示装置１００Ｃは、絵柄部２０の一部を写真３０としたものである。
この写真３０が挟まれる場所や、写真３０の大きさは特に限定されず、任意の場所に任意の大きさの写真３０を挟むことができる。また、この時、写真３０の裏面に他の写真を挟み、前述した第二実施形態のように正面側と背面側との両面から立体画像を視認できるものとしてもよい。
【００２８】
また、第四実施形態では写真３０を用いているが、これに限らず、イラストや、フィルム、また新聞等の切り抜きであってもよく、これらはユーザーの好みによって様々にアレンジできるものである。
【００２９】
第四実施形態によると第一実施形態の（１）〜（４）の効果に加えて次の効果が得られる。
（８）隣り合う透明板１０の間に写真３０を挟むことができるので、各ユーザーの好みに合わせて様々な立体画像のパターンが形成され、アレンジ性に富んだ立体画像を表現できる。
【００３０】
［第五実施形態］
次に第五実施形態について説明する。図１２は第五実施形態の立体表示装置１００Ｄの斜視図を示している。図１２において、立体表示装置１００Ｄの透明面状部材は透明円筒板１０Ｄであって、直径の異なる複数の透明円筒板１０Ｄを密着させて形成されている。これらの透明円筒板１０Ｄの表面にはそれぞれ異なる図示しない絵柄部が形成されていて、遠近感によってこれらの絵柄部が立体的に表現されている。また、これらの透明円筒板の略中心軸上に光源４０が設けられていて、円筒内部側より外部側に光を照射している。光源４０としては、蛍光灯、電球等の各種発光体が用いることができる。また、この光源４０の発する色はフィルム等によって変化させることができ、これにより絵柄部の色柄や雰囲気を変えることもできる。
【００３１】
第五実施形態によると第一実施形態の（１）〜（４）の効果に加えて次の効果が得られる。
（９）立体表示装置１００Ｄの円筒内部に光源４０を設けたので、絵柄部の色合いが非常に鮮やかになり、より一層綺麗な立体表現ができる。
（１０）光源４０の種類や色を変えることにより、絵柄部２０の雰囲気等を変化させることができるので、アレンジ性に富んだ立体画像を表現するとこができる。
（１１）透明面状部材に透明円筒板１０Ｄを用いているので、円筒の周方向であればどの方向からでもこの立体表示装置１００Ｄの絵柄部が視認できる。これにより、どの方向から見ても立体画像を視認することができる。
（１２）透明円筒板１０Ｄの略中心軸上に光源４０を設けたので、この光源４０を透明円筒板１０Ｄで隠すことができ、光源４０が外部に露出することがなく、見た目を良好にできる。
【００３２】
［第六実施形態］
次に図１３を用いて第六実施形態について説明する。
図１３において、立体表示装置１００Ｅは立体物５０を内部に入れた透明板１０Ｅの前面又は後面、あるいは両面に透明板１０を配置している。
【００３３】
透明板１０Ｅの厚み寸法は内部に入る立体物５０の大きさにより決定されるものであり、一定ではない。例えば、立体物５０が小さいものまたは厚み寸法の小さいものであれば透明板１０Ｅの厚み寸法は小さくてもよい。また、立体物５０が入る透明板１０Ｅは一つに限らず、複数あってもよく、透明板１０Ｅが配置される位置についても図１３に示される位置に限定されない。また、図１３に示される立体表示装置１００Ｅは、透明板１０Ｅの前後に絵柄部２０を有する透明板１０が複数配置されて立体画像を表現しているものであるが、この立体が入った透明板１０Ｅの表面に絵柄部２０が形成されているものであってもよい。これらはこの立体表示装置１００Ｅのデザインや利用条件等により決定される事項であり、そのデザイン、利用条件に合わせてその形状やサイズ等は様々にアレンジされうるものである。
【００３４】
第六実施形態によると第一実施形態の（１）〜（４）の効果に加えて次のような効果が得られる。
（１３）透明板１０のうち一部は立体物を入れた透明板１０Ｅであるので、この立体物５０により立体表示装置１００Ｅに一層の立体感が得られ、さらに、立体物５０を透明板１０Ｅで覆っているので、この立体物５０を保護でき、搬送の際にも安全性が確保できる。
【００３５】
尚、本発明の立体表示装置は、上述の実施例にのみ限定されるものではなく、本発明の要旨を逸脱しない範囲内において種々変更を加え得ることは勿論である。
【００３６】
例えば、第一から第四実施形態、及び第六実施形態において、透明面状部材として透明板を用いており、第五実施形態の一例においては円筒状の透明円筒板を用いているが、これに限らない。すなわち、立体表示装置を用いる場所や用途によってその形状は様々に変化しうるものである。例えば、立体表示装置の利用例として、窓やステンドグラス、様々な商品を入れるケースやコースター等、また第五実施形態のように光源が設けられるものでは、走馬灯や電気スタンド、看板等、第四実施形態のような隣り合う透明面状部材のあいだに写真等を挟むものでは、写真たてや額縁、携帯電話のアクセサリー等、様々なものに応用でき利用される。これらのデザインや目的等の諸条件に合わせて透明面状部材の形状も様々に応用できるものである。従って、透明面状部材の形状はこれらの諸条件によって、例えば、四角柱や三角錐の形状に形成されていてもよく、図１４に示される立体表示装置１００Ｆのように、透明板１０の前後にブロック体６０を配置したものや、または透明板１０の間にブロック体６０を挟み込んだものであっても良い。
【００３７】
また第二実施形態において、透明板１０Ａは立体表示装置１００Ａの略中心に配置されているが、これに限らない。透明板１０Ａは正面Ａ側か背面Ｂ側のどちらかに偏って配置されていてもよく、また、複数あるものであっても良い。さらに、第二実施形態では、透明板１０Ａの絵柄部２０Ａを中心に正面Ａ側と背面Ｂ側とから見たときに、正面Ａ側からは表の絵柄が立体的に視認でき、背面Ｂ側からは裏の絵柄が立体的に視認できるように形成しているが、この表現方法に限定されない。例えば、正面Ａ側からみると昼の風景、背面側から見ると夜の風景となるような絵柄部２０Ａを形成する等、正面Ａ側から見た場合と背面Ｂ側から見た場合で全く違う立体画像が表現されていてもよい。つまり、絵柄部２０Ａが第一絵柄部２１Ａと第二絵柄部２１Ｂと有しており、正面側と背面側とから絵柄部２０Ａを視認できるものであればよい。
【００３８】
第一、及び第二実施形態において、絵柄部２０、２０Ａは白地２２を含んでいるが、特にこれに限定されない。例えば、白地２２を含んでいない絵柄部２０であってもよい。ただし、この場合、この絵柄部の前面または後面に他の絵柄部２０があり、これらの絵柄部が重なりあってしまう場合に、前後の色が交じり合って濁ってしまう虞があるため、絵柄部２０を重ならないように形成する等の工夫が必要になる。また、第二実施形態のように絵柄部２０Ａの裏表に第一絵柄部２１Ａと第二絵柄部２１Ｂとを設ける場合、これらの第一絵柄部２１Ａと第二絵柄部２１Ｂとの色が交じり合って濁ってしまう可能性もあるため、好ましくない。さらに、白地２２は白色で形成されている必要はなく、第一絵柄部２１、２１Ａ及び第二絵柄部２１Ｂの色を押さえるものであれば、特に限定されない。例えば、水色や薄い黄色等の押さえであってもよい。すなわち、押さえには明度が高い色であれば、特にその色相は問わない。ただし、白以外の色を押さえとして使った場合、色相によっては絵柄部の色と混ざり合い、絵柄部の本来の色が失われる可能性もあるため、白地とするのが最も好ましいとされる。
【００３９】
第一から第六実施形態において、絵柄部の形成にシルク印刷を用いているが、特にこれに限定されない。例えば、絵柄部はオフセット印刷やインクジェット印刷されているものであっても良く、またエアブラシ等により直接描画されているものであっても良い。ただし、オフセット印刷は仕上がりが大変綺麗になるが、大量生産でない限り、生産にかかるコストが高くなるため、受注品のみを製作する場合等には適さない。またインクジェット印刷ではガラス面等の厚みのある透明面状部材への印刷は仕上がり程度がよくなく、不向きである。シルク印刷では、金銀色を含めた多彩な色を表現可能で、かつ、仕上がりが綺麗であり、また、印刷する対象面の形状にこだわらず印刷可能であり、さらに、生産コストにおいても優れている。また、エアブラシ等によって直接透明円状部材に描画する場合は時間と手間がかかるが、細部まで非常に丁寧に仕上げることができる。このように各印刷方法、描画方法によって特徴が異なってくるため、利用目的や条件等によって使い分けることが好ましい。
【００４０】
第五実施形態において、光源４０は透明円筒板１０Ｄの中心軸上に設けられるとしたが、これに限られず、例えば、透明円筒板１０Ｄの外部に複数設けられていてもよい。この場合、透明円筒板１０Ｄの円筒内部より絵柄部２０を見ることで、光源４０から照射された光によって色合いがはっきりとして綺麗に表現される絵柄部を視認できる。また、光源４０が設けられる立体表現装置の透明面状部材に透明円筒板１０Ｄを用いているが、これに限らない。例えば、第一から第四実施形態、第六実施形態で示される立体表現装置や、または、前述したような様々な形状の透明面状部材を有する立体表現装置に光源４０が設けられているものであってもよい。
【００４１】
【発明の効果】
透明面状部材の少なくとも二枚以上に絵柄部が設けられているので、これらの透明面状部材を平行に重ね合わせると、前記絵柄部を遠近感により立体的に表現することができる。さらに、前記複数の透明面状部材を密着させるため、透明面状部材間に隙間がなく、サイズが小さくなる。従って、携帯性が良好となり、搬送もしやすくなり、装飾品として展示する際にも邪魔にならない。その上、手入れの際はこの立体表示装置の表と裏に配置される透明面状部材の表面の手入れをするだけでよく、メンテナンス性が向上するという効果がある。
【図面の簡単な説明】
【図１】第一実施形態における立体表示装置の斜視図。
【図２】第一実施形態における立体表示装置の分解斜視図。
【図３】第一実施形態における立体表示装置の断面図。
【図４】第一実施形態における絵柄部の詳細断面図。
【図５】第二実施形態における立体表示装置の分解斜視図。
【図６】第二実施形態における立体表示装置の分解斜視図。
【図７】（Ａ）は第二実施形態の立体表示装置を正面側から見たときの正面図、（Ｂ）は第二実施形態の立体表示装置を背面側から見たときの正面図。
【図８】第二実施形態の絵柄部の断面図。
【図９】第三実施形態の立体表示装置の斜視図。
【図１０】第三実施形態の立体表示装置の分解斜視図。
【図１１】第四実施形態の立体表示装置の分解斜視図。
【図１２】第五実施形態の立体表示装置の斜視図。
【図１３】第六実施形態の立体表示装置の分解斜視図。
【図１４】本発明の一変形例の斜視図。
【符号の説明】１０，１０Ａ，１０Ｂ，１０Ｅ…透明板（透明面状部材）、１０Ｄ…透明円筒板（透明面状部材）、２０，２０Ａ…絵柄部、２１，２１Ａ…第一絵柄部、２１Ｂ…第二絵柄部、３０…写真、４０…光源、５０…立体物。
【図１】
2005010346.tif 000003
【図２】
2005010346.tif 000004
【図３】
2005010346.tif 000005
【図４】
2005010346.tif 000006
【図５】
2005010346.tif 000007
【図６】
2005010346.tif 000008
【図７】
2005010346.tif 000009
【図８】
2005010346.tif 000010
【図９】
2005010346.tif 000011
【図１０】
2005010346.tif 000012
【図１１】
2005010346.tif 000013
【図１２】
2005010346.tif 000014
【図１３】
2005010346.tif 000015
【図１４】
2005010346.tif 000016